(57)【要約】【課題】角形開口部から照明器具の取付作業を容易に行え、照明器具をロ字形だけでなくライン状にも容易に配置できるシステム天井用ＬＥＤ照明装置を提供することである。【解決手段】取付枠１３は、断面形状が略Ｔ字型のバー材でロ字形枠に形成され、ロ字形枠のＴ字部分のＴ字が上下逆向きでそのＴ字縦部分の側面がシステム天井の天井板１１に設けられた角形開口部１２の外周部に当接するように天井板１１の角形開口部１２に下方から取り付けられ、固定具１６で固定される。ロ字形のＬＥＤ器具１７はシステム天井の角形開口部１２から挿入され、取付枠１３のＴ字横部分で形成された縁部１３ａに配置される。同様に、天井材２０はシステム天井の角形開口部１２から挿入され、ＬＥＤ器具１７の上部に搭載され配置されて角形開口部１２を塞ぐ。【選択図】図１
2010010106.tif 000002
【特許請求の範囲】
【請求項１】
断面形状が略Ｔ字型のバー材でロ字形枠に形成され、前記ロ字形枠のＴ字部分のＴ字が上下逆向きでそのＴ字縦部分の側面がシステム天井の天井板に設けられた角形開口部の外周部に対向配置するように前記天井板の角形開口部に下方から取り付けられる取付枠と；
前記取付枠を前記システム天井の天井板に固定する固定具と；
前記システム天井の角形開口部から挿入され、前記取付枠のＴ字横部分で形成された縁部に配置されるＬＥＤ器具と；
前記システム天井の角形開口部から挿入され、前記ＬＥＤ器具の上部に配置されて前記ＬＥＤ器具とともに前記角形開口部を塞ぐ天井材と；
を備えたことを特徴とするシステム天井用ＬＥＤ照明装置。
【請求項２】
前記固定具は、前記取付枠を係止する係止部と、前記係止部を前記天井板に固定する固定ねじとからなることを特徴とする請求項１記載のシステム天井用ＬＥＤ照明装置。
【請求項３】
前記ＬＥＤ器具は、断面が下方に向かって拡開するロ字形の反射部およびこの反射部にロ字形状に配設されるＬＥＤを有し、前記反射部はロ字形の四隅において、反射部が連続していることを特徴とする請求項１乃至３のいずれか一記載のシステム天井用ＬＥＤ照明装置。
【請求項４】
前記取付枠の対向するいずれか二辺にライン状の前記ＬＥＤ器具を架け渡して配置し、前記ＬＥＤ器具および縁部上に天井材を配置して、前記ＬＥＤ器具および天井材によって前記角形開口部を塞ぐことを特徴とする請求項１乃至３のいずれか一記載のシステム天井用ＬＥＤ照明装置。
【発明の詳細な説明】
【技術分野】
【０００１】
本発明は、建物の天井にシステム状に照明器具を配設するシステム天井用ＬＥＤ照明装置に関する。
【背景技術】
【０００２】
一般に、システム天井用照明装置は、建物の天井の天井板に角形開口部を設け、その角形開口部にロ字形に照明器具を配置して構成される。すなわち、天井裏に多数の吊りボルト設けて、その吊りボルトに格子状のバー材を配置し、バー材に予めロ字形に構成した照明器具を装着してシステム天井用照明装置を構成している（例えば、特許文献１参照）。天井のバー材への照明器具の取付けは、照明器具本体に設けた取付け金具をバー材に乗せかけることにより照明器具が保持される構成となっている。
【０００３】
通常、照明器具としては、例えば蛍光ランプのような長尺状の照明器具が用いられ、蛍光ランプの両端には、蛍光ランプを点灯するためのランプソケットが設けられている。また、このようなシステム天井用照明装置では、装置全体がロ字形に構成されていることから、中央部には角形開口部が形成されており、この角形開口部には天井材が取り付けられて角形開口部を塞ぐようにしている。
【特許文献１】特開平５−２４２７０７号公報
【発明の開示】
【発明が解決しようとする課題】
【０００４】
しかし、従来のシステム天井用照明装置では、ロ字形に形成した照明器具の中央部には角形開口部が形成されているが、作業員は角形開口部とは別の点検口から天井裏に入り、照明器具の配置作業は天井裏にて行われている。従って、システム天井用照明装置の角形開口部を天井裏への点検口として使用することは考慮されておらず、照明器具のバー部材への取り付けは天井裏での作業に適したものとなっているので、角形開口部を点検口として使用することはできず、角形開口部から照明器具の取付作業を容易に行えるようになっていない。
【０００５】
また、照明器具をロ字形に配置する構成となっているので、ロ字形に配置することに代えて、照明器具を直線状（ライン状）に配置変更するにあたっては、バー材を含んだ器具本体を構造変更することが必要となる。さらに、照明器具として蛍光灯ランプを用いたシステム天井用照明装置では、蛍光灯ランプの両端部にランプソケットを設けることが必要となり、その場合にはランプソケット部には暗部が発生する。
【０００６】
本発明の目的は、角形開口部から照明器具の取付作業を容易に行え、照明器具をロ字形だけでなくライン状にも容易に配置できるシステム天井用ＬＥＤ照明装置を提供することである。
【課題を解決するための手段】
【０００７】
請求項１の発明に係わるシステム天井用ＬＥＤ照明装置は、断面形状が略Ｔ字型のバー材でロ字形枠に形成され、前記ロ字形枠のＴ字部分のＴ字が上下逆向きでそのＴ字縦部分の側面がシステム天井の天井板に設けられた角形開口部の外周部に対向配置するように前記天井板の角形開口部に下方から取り付けられる取付枠と；前記取付枠を前記システム天井の天井板に固定する固定具と；前記システム天井の角形開口部から挿入され、前記取付枠のＴ字横部分で形成された縁部に配置されるＬＥＤ器具と；前記システム天井の角形開口部から挿入され、前記ＬＥＤ器具の上部に配置されて前記ＬＥＤ器具とともに前記角形開口部を塞ぐ天井材と；を備えたことを特徴とする。
【０００８】
本発明および以下の発明において用語の定義および技術的意味は以下による。取付枠とは、バー材で形成されたロ字形枠がシステム天井の天井板の角形開口部に取り付けられて照明器具を取り付けるためのものをいう。
【０００９】
バー材とは棒状に延伸するフレーム材をいい、断面形状が略Ｔ字型とは、棒状に延伸するフレーム材の延伸方向に垂直な面での断面形状が略Ｔ字であることをいう。ロ字形枠とはバー材で形成された方形枠をいい、方形枠は、正方形枠、長方形枠、菱形枠等を許容するが正方形枠が望ましい。
【００１０】
システム天井の天井板に設けられた角形開口部とは、システム天井の天井板に照明器具が取り付けられる部分に形成された照明器具を取り付けるための角形の開口部をいう。バー材で形成されるロ字形枠は、角形開口部の角形と同じ形状に形成される。
【００１１】
ロ字形枠のＴ字部分のＴ字が上下逆向きとは、ロ字形枠を角形開口部に下方から取り付けたときに、ロ字形枠を形成するバー材の断面形状のＴ字が逆向きになる方向をいう。
【００１２】
ロ字形枠を形成するバー材の断面形状のＴ字が逆向きであることから、
ロ字形枠は、システム天井の下方から角形開口部に挿入されたとき、ロ字形枠のＴ字部分のＴ字縦部分の側面が角形開口部の外周部に当接するように角形開口部に取り付けられる。
【００１３】
固定具とは、取付枠をシステム天井の天井板に固定するものをいう。例えば前記取付枠を吊り下げる吊りボルトであってもよい。この場合は、既存の固定具としての吊りボルトを使用することができる。
【００１４】
ＬＥＤ器具とは光源がＬＥＤ（発光ダイオード）である照明器具をいい、ロ字形とはロ字形枠と相似形の形状をいう。ロ字形状のＬＥＤ器具は、システム天井の下方から角形開口部に挿入されて、ロ字形枠を形成するバー材の断面形状のＴ字が逆向きであることから、取付枠のＴ字横部分で形成された縁部に配置される。
【００１５】
天井材とは、システム天井の角形開口部から挿入されて、ＬＥＤ器具の上部に配置されて角形開口部を塞ぐ部材をいう。
【００１６】
ＬＥＤ器具の上部とは、ＬＥＤ器具の上側に配置される構成であれば器具に対する上下位置は特に限定されない。例えば、ＬＥＤ器具の最上部に載置されるものであってもよいし、ＬＥＤ器具の下方側に側方に張り出すフランジ等を設けて、このフランジ上に載置する構成であってもよい。
【００１７】
請求項２の発明に係わるシステム天井用ＬＥＤ照明装置は、請求項１の発明において、前記固定具は、前記取付枠を係止する係止部と、前記係止部を前記天井板に固定する固定ねじとからなることを特徴とする。
【００１８】
本発明は、取付枠をシステム天井の天井板に固定する固定具として、係止部を介して固定ねじで取付枠を固定するようにしたものである。
【００１９】
請求項３の発明に係わるシステム天井用ＬＥＤ照明装置は、請求項１乃至３のいずれか一の発明において、前記ＬＥＤ器具は、断面が下方に向かって拡開するロ字形の反射部およびこの反射部にロ字形状に配設されるＬＥＤを有し、前記反射部はロ字形の四隅において、反射部が連続していることを特徴とする。
【００２０】
「反射部が連続している」とは、ロ字形のＬＥＤ器具のロ字形の四隅において、ＬＥＤ器具の反射部の断面形状がロ字形の全周に渡って下方に拡開し、反射部の下方側に形成される空間が連続していることをいう。例えば、ＬＥＤ器具の反射部の端部を斜め角度４５°の傾斜で形成し、隣り合う２つの反射部の斜め角度４５°の傾斜を接合して直角９０°の折れ曲がり部を形成することができる。これにより、隣り合う反射部は連続して接合できる。
【００２１】
請求項４の発明に係わるシステム天井用ＬＥＤ照明装置は、請求項１乃至３のいずれか一の発明において、前記取付枠の対向するいずれか二辺にライン状の前記ＬＥＤ器具を架け渡して配置し、前記ＬＥＤ器具および縁部上に天井材を配置して、前記ＬＥＤ器具および天井材によって前記角形開口部を塞ぐことを特徴とする。
【００２２】
本発明は、ＬＥＤ器具を取付枠にロ字形に配置することに代えて、ライン状に配置するようにしたものである。ライン状とはＬＥＤ器具が同一方向に平行して並ぶように配置することをいう。
【発明の効果】
【００２３】
請求項１の発明によれば、取付枠を天井板の角形開口部に挿入して下方から取り付けでき、ＬＥＤ器具は取付枠のＴ字横部分で形成された縁部に配置するだけであるので、ＬＥＤ器具の天井板への取り付けが容易にできる。また、角形開口部の中央部は天井材がＬＥＤ器具の上部に搭載して配置されているだけであるので、天井材を容易に取り外すことができ、その角形開口部の中央部を天井裏の点検口として使用することができる。
【００２４】
請求項２の発明によれば、取付枠をシステム天井の天井板に固定する固定具として、取付枠を係止する係止部を設け、その係止部を固定ねじで天井板に固定するので、天井板の下方から取付枠を容易に取り付けることができる。
【００２５】
請求項３の発明によれば、ロ字形のＬＥＤ器具の反射部はロ字形の四隅において隣り合う反射部は連続しているため、ＬＥＤ器具の端部に発生する暗部を緩和できる。また、角形開口部の中央部を天井裏の点検口として使用する場合に、固定具が角形開口部の上方に無いため作業性を向上させることができる。
【００２６】
請求項４の発明よれば、ＬＥＤ器具は取付枠のＴ字横部分で形成された縁部に配置するだけであるので、ＬＥＤ器具自体を角形開口部の取付枠のＴ字横部分に架け渡すだけでライン状に配置でき、ライン照明へ容易に変更できる。すなわち、取付枠の対向するいずれかの二辺に２個のＬＥＤ器具をライン状に配置すると２灯用のライン照明となり、さらに、角形開口部の中央部に別のＬＥＤ器具を配置すると３灯用のライン照明となる。
【発明を実施するための最良の形態】
【００２７】
図１は本発明の第１の実施の形態に係わるシステム天井用ＬＥＤ照明装置の断面図、図２は図１のシステム天井用ＬＥＤ照明装置を下方から見上げた場合の平面図である。なお、図２では天井板１１の図示を省略している。
【００２８】
システム天井の天井板１１には角形開口部１２が設けられ、この角形開口部１２の周囲に取付枠１３が取り付けられる。取付枠１３は、断面形状が略Ｔ字型のバー材でロ字形枠に形成されている。そして、ロ字形枠のＴ字部分のＴ字が上下逆向きに角形開口部１２に挿入され、そのＴ字縦部分の側面が角形開口部１２の外周部に当接するように天井板１１の下方から取り付けられる。角形開口部１２に取り付けられた取付枠１３は、システム天井の天井板１１に固定具１６で固定される。図１では固定具１６として、取付枠１３を横梁１４で固定し、天井裏に植設された吊りボルト１５で吊り下げて天井板１１に固定した場合を示している。
【００２９】
取付枠１３を取り付けた状態では、角形開口部１２の周辺部に取付枠１３が位置することになるので、角形開口部１２の中央部は開口している。この開口している角形開口部１２の中央部からＬＥＤ器具１７を挿入し、取付枠１３のＴ字横部分で形成された内側の縁部１３ａに配置する。ＬＥＤ器具１７は、断面が下方に向かって開放する横長の反射部１７ａを有し、その反射部１７ａの上方内側に光源であるＬＥＤ１８を配置して構成される。そして、４個のＬＥＤ器具１７をロ字形に組み立て、ＬＥＤ器具１７の端部に、取付枠１３の縁部１３ａに配置される突起部１９を設けている。この突起部１９が取付枠１３の縁部１３ａに配置されることによって、ＬＥＤ器具１７は取付枠１３に配置される。
【００３０】
そして、ロ字形のＬＥＤ器具１７を取付枠１３に配置した後に、開口している角形開口部１２の中央部から天井材２０を挿入し、ＬＥＤ器具１７の上部に天井材２０を搭載して角形開口部１２を塞ぐ。これにより、下方から天井側を見上げた場合には角形開口部１２の中央部に天井材２０が位置することになり、この天井材２０はＬＥＤ器具１７の上部に搭載しているだけであるので、容易に取り外しできる。従って、角形開口部１２を天井裏の点検口として使用できる。
【００３１】
第１の実施の形態によれば、取付枠１３を天井板１１の角形開口部１２に挿入して下方から取り付けでき、その際に、取付枠１３を横梁１４を介して吊りボルト１５にて吊り下げて天井板１１に固定するので、在来のシステム天井の吊りボルト１５を使用して取付枠１３を取り付けることができる。また、ＬＥＤ器具１７は取付枠１３のＴ字横部分で形成された縁部１３ａに搭載するだけであるので、ＬＥＤ器具１７の天井板１１への取り付けが容易にできる。
【００３２】
さらに、角形開口部１２の中央部は、天井材２０がＬＥＤ器具１７の上部に搭載されているだけであるので、天井材２０を容易に取り外すことができ、その角形開口部１２の中央部を天井裏の点検口として使用することができる。
【００３３】
図３は本発明の第２の実施の形態に係わるシステム天井用ＬＥＤ照明装置の断面図である。この第２の実施の形態は、図１に示した第１の実施の形態に対し、固定具１６として、横梁１４および吊りボルト１５に代えて、取付枠１３を係止する係止部２１と、係止部２１を天井板１１に固定する固定ねじ２２とを設けたものである。図１と同一要素には同一符号を付し重複する説明は省略する。
【００３４】
天井板１１の角形開口部１２から取付枠１３が挿入され、角形開口部１２の周囲に、ロ字形枠のＴ字部分のＴ字が上下逆向きに取付枠１３が配置される。取付枠１３は、固定具１６の係止部２１で係止され、係止部２１は固定ねじ２２で天井板１１に固定される。この場合、固定具１６の係止部２１や固定ねじ２２は、天井板１１の角形開口部１２から挿入できるので、取付枠１３の取付作業は角形開口部１２の下方側から行うことができる。
【００３５】
取付枠１３を取り付けた後は、第１の実施の形態の場合と同様に、角形開口部１２の中央部からＬＥＤ器具１７を挿入し、ＬＥＤ器具１７の突起部１９を取付枠１３のＴ字横部分で形成された内側の縁部１３ａに搭載する。その後に、角形開口部１２の中央部から天井材２０を挿入し、ＬＥＤ器具１７の上部に天井材２０を搭載して角形開口部１２を塞ぐ。
【００３６】
第２の実施の形態によれば、第１の実施の形態に効果に加え、取付枠１３をシステム天井の天井板１１に固定するにあたり、取付枠１３を係止する係止部２１を設け、その係止部２１を固定ねじ２２で天井板１１に固定するので、天井板１１の下方から取付枠１３を容易に取り付けることができる。
【００３７】
図４は本発明の第３の実施の形態に係わるシステム天井用ＬＥＤ照明装置を下方から見上げた場合の平面図である。なお、図４では天井板１１の図示を省略している。この第３の実施の形態は、図２に示した第１の実施の形態に対し、ロ字形のＬＥＤ器具１７の四隅において、反射部１７ａを斜め合わせで接合するようにしたものである。図２と同一要素には同一符号を付し重複する説明は省略する。
【００３８】
ロ字形のＬＥＤ器具１７の四隅において、ＬＥＤ器具１７の反射部１７ａの端部１７ｂは斜め角度４５°の傾斜で形成されている。そして、隣り合う２つの反射部１７ａの斜め角度４５°の端部を接合して直角９０°の折れ曲がり部を形成する。これにより、隣り合う反射部１７ａを斜め合わせで接合し、隣り合う反射部１７ａの連結部分で連続して接合する。
【００３９】
第４の実施の形態によれば、ロ字形のＬＥＤ器具１７の四隅において、反射部１７ａは斜め合わせで接合されるので、隣り合う反射部１７ａは連続して接合できる。従って、ＬＥＤ器具１７の端部１７ｂにおいてもＬＥＤ１８からの光が届くので暗部の発生を緩和できる。
【００４０】
図５は本発明の第４の実施の形態に係わるシステム天井用ＬＥＤ照明装置を下方から見上げた場合の平面図である。なお、図５では天井板１１の図示を省略している。この第４の実施の形態は、図２に示した第１の実施の形態に対し、ＬＥＤ器具１７を取付枠１３にロ字形に配置することに代えて、取付枠１３の対向するいずれかの二辺にＬＥＤ器具１７をライン状に配置したものである。図２と同一要素には同一符号を付し重複する説明は省略する。
【００４１】
図５において、取付枠１３の対向するいずれかの二辺、図５では図の上下の取付枠１３に３個のＬＥＤ器具１７が架け渡されている。すなわち、取付枠１３の縁部１３ａに３個の各々のＬＥＤ器具１７の突起部１９が搭載され、３個のＬＥＤ器具１７が同一方向に平行して並ぶようにライン状に配置されている。３個のＬＥＤ器具１７のうち、２個はロ字形の取付枠１３の端部に平行に配置され、残りの１個のＬＥＤ器具１７はその二辺の中間位置の取付枠１３の縁部１３ａに架け渡して搭載されている。そして、天井材２０ａ、２０ｂは、ＬＥＤ器具が搭載されていない縁部１３ａに搭載して角形開口部１２を塞ぐ。
【００４２】
第４の実施の形態によれば、ＬＥＤ器具１７は取付枠１３の縁部１３ａに搭載するだけであるので、ＬＥＤ器具自体を角形開口部１２の取付枠１３の縁部１３ａに架け渡すだけでライン状に配置できライン照明へ容易に変更できる。その際に、取付枠１３の対向するいずれかの二辺に２個のＬＥＤ器具１７をライン状に配置すると２灯用のライン照明となり、さらに、角形開口部１２の中央部に別のＬＥＤ器具１７を配置すると３灯用のライン照明となる。
【００４３】
図６は本発明の第５の実施の形態に係わるシステム天井用ＬＥＤ照明装置の断面図、図７は図６のシステム天井用ＬＥＤ照明装置を下方から見上げた場合の平面図である。なお、図７では天井板１１の図示を省略している。この第５の実施の形態は、図１および図２に示した第１の実施の形態に対し、取付枠１３として２重の取付枠１３Ａ、１３Ｂとしたものである。図１および図２と同一要素には同一符号を付し重複する説明は省略する。
【００４４】
図６に示すように、外側の取付枠１３Ａに加えて内側の取付枠１３Ｂを設け、取付枠１３Ａ、１３Ｂの間にロ字状のＬＥＤ器具１７を配置する。すなわち、ロ字状のＬＥＤ器具１７の突起部１９を取付枠１３Ａ、１３Ｂの縁部１３Ａａ、１３Ｂａに搭載して、ロ字状のＬＥＤ器具１７を取付枠１３Ａ、１３Ｂに配置する。そして、天井材２０は内側の取付枠１３Ｂの縁部１３Ｂａに搭載する。
【００４５】
第５の実施の形態によれば、第１の実施の形態の効果に加え、取付枠１３Ａ、１３Ｂの間にロ字状のＬＥＤ器具１７を配置するので、ロ字状のＬＥＤ器具１７の天井板１１への取り付けがより確実なものとなる。
【図面の簡単な説明】
【００４６】
【図１】本発明の第１の実施の形態に係わるシステム天井用ＬＥＤ照明装置の断面図。
【図２】図１のシステム天井用ＬＥＤ照明装置を下方から見上げた場合の平面図。
【図３】本発明の第２の実施の形態に係わるシステム天井用ＬＥＤ照明装置の断面図。
【図４】本発明の第３の実施の形態に係わるシステム天井用ＬＥＤ照明装置を下方から見上げた場合の平面図。
【図５】本発明の第４の実施の形態に係わるシステム天井用ＬＥＤ照明装置を下方から見上げた場合の平面図。
【図６】本発明の第５の実施の形態に係わるシステム天井用ＬＥＤ照明装置の断面図。
【図７】図７は図６のシステム天井用ＬＥＤ照明装置を下方から見上げた場合の平面図。
【符号の説明】
【００４７】
１１…天井板、１２…角形開口部、１３…取付枠、１３ａ…縁部、１４…横梁、１５…吊りボルト、１６…固定具、１７…ＬＥＤ器具、１７ａ…反射部、１８…ＬＥＤ、１９…突起部、２０…天井材、２１…係止部、２２…固定ねじ
【図１】
2010010106.tif 000003
【図２】
2010010106.tif 000004
【図３】
2010010106.tif 000005
【図４】
2010010106.tif 000006
【図５】
2010010106.tif 000007
【図６】
2010010106.tif 000008
【図７】
2010010106.tif 000009